(57)【要約】      （修正有）【課題】印刷媒体のジャムが生じた際、損紙を低減し、正しいページ順の印刷物を得る印刷装置を提供する。【解決手段】印刷情報に基づいて印刷媒体に印刷処理を施す印刷処理部３０と、印刷媒体を搬送する循環搬送路ＣＲと、印刷媒体のジャムを検出する用紙検出センサ７０〜７７と、印刷情報に含まれる全ての原稿データを１枚の印刷媒体に印刷可能である場合には、ジャム要因となった印刷媒体を取り除き、かつジャムの要因となった印刷媒体よりも後続の印刷済の印刷媒体を搬送経路上に残すようなジャム処理を行う制御部６０とを備える。【選択図】図１
2020104269.tif 000002
【特許請求の範囲】
【請求項１】
印刷情報に基づいて、印刷媒体に対して印刷処理を施す印刷処理部と、
前記印刷媒体を搬送する搬送経路と、
前記印刷媒体の搬送中におけるジャムを検出するジャム検出部と、
前記印刷情報に含まれる全ての原稿データを１枚の印刷媒体に印刷可能である場合には、前記ジャムの検出時において前記搬送経路上に存在する印刷媒体であって、少なくとも前記ジャムの要因となった前記印刷媒体を取り除き、かつ前記ジャムの要因となった印刷媒体よりも後続の印刷済の印刷媒体を前記搬送経路上に残すようなジャム処理を行う制御部とを備えた印刷装置。
【請求項２】
前記制御部が、前記印刷情報に含まれる全ての原稿データが１枚の印刷媒体に印刷不可能である場合には、前記ジャムの検出時において前記搬送経路上に存在する印刷媒体であって、少なくとも前記ジャムの要因となった印刷媒体および前記ジャムの要因となった印刷媒体よりも後続の印刷済の印刷媒体を取り除くようなジャム処理を行う請求項１記載の印刷装置。
【請求項３】
前記制御部が、前記印刷情報に含まれる原稿データの枚数と、両面印刷か片面印刷かの印刷条件と、面付け印刷の面付け条件とに基づいて、前記印刷情報に含まれる全ての原稿データを１枚の印刷媒体に印刷可能であるか否かを判定し、該判定の結果に基づいて、前記ジャム処理を切り替える請求項１または２記載の印刷装置。
【発明の詳細な説明】
【技術分野】
【０００１】
本発明は、搬送経路上における印刷媒体のジャムを検出し、印刷処理に復帰するためのジャム処理を行う印刷装置に関する。
【背景技術】
【０００２】
従来、印刷媒体を搬送経路に沿って搬送しながら印刷処理を行う印刷装置が提案されている。
【０００３】
このような印刷装置においては、印刷媒体の搬送中に何らかの原因によって印刷媒体のジャムが発生した場合には、そのジャムを検出し、印刷装置内に残存した印刷媒体の除去をユーザに促すジャム処理を行うことが提案されている（たとえば特許文献１参照）。
【先行技術文献】
【特許文献】
【０００４】
【特許文献１】特開２０１４−１９５９２８号公報
【発明の概要】
【発明が解決しようとする課題】
【０００５】
ここで、上述したような印刷装置では、ジャムが発生した時点において、既に印刷済の印刷媒体が印刷装置内に残存している場合がある。このような場合、たとえば１ページの原稿データを片面印刷で複数部数印刷する場合、ジャム処理として印刷装置内の全ての印刷媒体を取り除くようにしたのでは、正常に印刷されている印刷媒体まで取り除くことになり、損紙が多くなる。
【０００６】
そこで、ジャム処理としてジャム要因の印刷媒体のみを取り除き、既に印刷済の印刷媒体については、印刷装置内に残すことが考えられる。
【０００７】
しかしながら、たとえば複数ページの原稿データを片面印刷で印刷する場合に、上述したようにジャム要因の印刷媒体のみを取り除き、既に印刷済の印刷媒体を印刷装置内に残すようにしたのでは、その印刷済の印刷媒体が排紙された際、ジャム要因の印刷媒体のページが抜けた印刷物となり、ページ順が異なる印刷物となってしまう。
【０００８】
たとえば１０ページの原稿データを片面印刷する場合において、５ページ目の印刷媒体にジャムを生じ、この印刷媒体のみを取り除くようにしたのでは、既に排紙されている１ページ〜４ページまでの印刷媒体上に、６ページ目が印刷された印刷媒体が排紙されることになり、５ページ目が抜けて、ページ順が異なる印刷物となってしまう。
【０００９】
本発明は、上記事情に鑑み、印刷媒体のジャムが生じた際、損紙を低減することができるとともに、正しいページ順の印刷物を得ることができる印刷装置を提供することを目的とするものである。
【課題を解決するための手段】
【００１０】
本発明の印刷装置は、印刷情報に基づいて、印刷媒体に対して印刷処理を施す印刷処理部と、印刷媒体を搬送する搬送経路と、印刷媒体の搬送中におけるジャムを検出するジャム検出部と、印刷情報に含まれる全ての原稿データを１枚の印刷媒体に印刷可能である場合には、ジャムの検出時において搬送経路上に存在する印刷媒体であって、少なくともジャムの要因となった印刷媒体を取り除き、かつジャムの要因となった印刷媒体よりも後続の印刷済の印刷媒体を搬送経路上に残すようなジャム処理を行う制御部とを備える。
【発明の効果】
【００１１】
本発明の印刷装置によれば、印刷情報に含まれる全ての原稿データを１枚の印刷媒体に印刷可能である場合には、ジャムの検出時において搬送経路上に存在する印刷媒体であって、少なくともジャムの要因となった印刷媒体を取り除き、かつジャムの要因となった印刷媒体よりも後続の印刷済の印刷媒体を搬送経路上に残すようなジャム処理を行うようにしたので、損紙を低減することができるとともに、正しいページ順の印刷物を得ることができる。
【図面の簡単な説明】
【００１２】
【図１】本発明の印刷装置の一実施形態を用いたインクジェット印刷装置の概略構成を示す図
【図２】第１のジャム処理の場合のジャム表示の一例を示す図
【図３】図１に示すインクジェット印刷装置の制御系の概略構成を示すブロック図
【図４】第１のジャム処理と第２のジャム処理との判定方法を説明するためのフローチャート
【発明を実施するための形態】
【００１３】
以下、図面を参照して本発明の印刷装置の一実施形態を用いたインクジェット印刷装置について詳細に説明する。本実施形態のインクジェット印刷装置は、印刷用紙の搬送経路にジャムが生じた場合のジャム処理方法に特徴を有するものであるが、まずは、その全体構成について説明する。図１は、本実施形態のインクジェット印刷装置の概略構成を示す図である。なお、図１に示す上下左右方向が、本実施形態のインクジェット印刷装置の上下左右方向である。
【００１４】
本実施形態のインクジェット印刷装置１は、図１に示すように、サイド給紙部１０と、内部給紙部２０と、印刷処理部３０と、排紙部４０と、反転部５０と、制御部６０と、表示部８０とを備えている。
【００１５】
印刷処理部３０、内部給紙部２０および制御部６０は、金属または樹脂などから形成された筐体１００内に収容されて設置されている。また、サイド給紙部１０、排紙部４０および反転部５０は、筐体１００内に一部が収容され、筐体１００外に一部が突出する状態で設置されている。
【００１６】
サイド給紙部１０は、印刷用紙Ｐが載置される給紙台１１と、給紙台１１から最上位置の印刷用紙Ｐのみを繰り出して給紙搬送路ＦＲ上へ搬送させる１次給紙部１２と、１次給紙部１２によって搬送された印刷用紙Ｐを循環搬送路ＣＲ上へ搬送する２次給紙部１４とを備えている。  
【００１７】
内部給紙部２０は、印刷用紙Ｐが載置される給紙台２１ａと、給紙台２１ａから最上位置の印刷用紙Ｐのみを繰り出して給紙搬送路ＦＲ上へ搬送させる１次給紙部２２ａと、印刷用紙Ｐが載置される給紙台２１ｂと、給紙台２１ｂから最上位置の印刷用紙Ｐのみを繰り出して給紙搬送路ＦＲ上へ搬送させる１次給紙部２２ｂと、印刷用紙Ｐが載置される給紙台２１ｃと、給紙台２１ｃから最上位置の印刷用紙Ｐのみを繰り出して給紙搬送路ＦＲ上へ搬送させる１次給紙部２２ｃと、印刷用紙Ｐが載置される給紙台２１ｄと、給紙台２１ｄから最上位置の印刷用紙Ｐのみを繰り出して給紙搬送路ＦＲ上へ搬送させる１次給紙部２２ｄとを備えている。  
【００１８】
このように２次給紙部１４には、サイド給紙部１０または内部給紙部２０から印刷用紙Ｐが搬送されるとともに、さらに後述する反転部５０からも印刷用紙Ｐが搬送される。  
【００１９】
そのため搬送方向における２次給紙部１４の手前には、内部給紙部２０から給紙された印刷用紙Ｐの搬送経路と、反転部５０から搬送された一方の面が印刷された印刷用紙Ｐの搬送経路とが合流する合流地点が存在する。この合流地点を基準に、給紙機構側の経路を給紙搬送路ＦＲと呼び、それ以外の経路を循環搬送路ＣＲと呼ぶ。なお、本実施形態においては、循環搬送路ＣＲが、本発明の搬送経路に相当する。  
【００２０】
印刷処理部３０は、複数のインクジェットヘッドが設けられた４つのヘッドユニット３１と、ヘッドユニット３１に対向して設けられた環状の搬送ベルト１３３とを備えている。２次給紙部１４により給紙された印刷用紙Ｐは、搬送ベルト１３３によって所定の搬送速度で搬送されながら、４つのヘッドユニット３１から吐出されたインクによって印刷処理が施される。  
【００２１】
４つのヘッドユニット３１は、それぞれ異なる色のインクを吐出し、本実施形態においては、ブラック（Ｋ）、シアン（Ｃ）、マゼンダ（Ｍ）、イエロー（Ｙ）の各色のインクを吐出する。  
【００２２】
印刷処理部３０により印刷された印刷用紙Ｐは、循環搬送路ＣＲ上に配置された搬送ローラ等によって循環搬送路ＣＲ上を搬送される。循環搬送路ＣＲ上には、循環搬送路ＣＲ上を搬送された印刷用紙Ｐを排紙部４０へ案内するか、または循環搬送路ＣＲ上を再循環させるかを切り替える切り替え機構４９が備えられている。切り替え機構４９は、具体的には、排紙部４０側の搬送経路と反転部５０側の搬送経路とを切り替える。  
【００２３】
排紙部４０は、インクジェット印刷装置１の筐体１００から突出したトレイ形状をした排紙台４５と、排紙台４５に印刷用紙Ｐを排紙する一対の排紙ローラ４８とを有する。そして、切り替え機構４９により排紙部４０側の搬送経路に案内された印刷用紙Ｐは、排紙ローラ４８により排紙台４５に排紙される。  
【００２４】
反転部５０は、印刷用紙Ｐを反転させる反転台５１と、循環搬送路ＣＲから反転台５１へ印刷用紙Ｐを搬送するとともに、その反転台５１に搬送された印刷用紙Ｐを循環搬送路ＣＲ上へ再び戻す反転ローラ５２とを備えている。  
【００２５】
切り替え機構４９により反転部５０に案内された印刷用紙Ｐは、反転ローラ５２により循環搬送路ＣＲから反転台５１に搬送され、反転台５１から循環搬送路ＣＲへ再び戻されることによって、表裏が反転した状態で循環搬送路ＣＲ上を搬送される。そして、表裏が反転された印刷用紙Ｐは、循環搬送路ＣＲ上に設けられた搬送ローラ５３等の複数のローラによって印刷処理部３０へ向かって再び搬送される。  
【００２６】
また、循環搬送路ＣＲ上には、循環搬送路ＣＲ上を搬送される印刷用紙Ｐのジャムを検出するための複数の用紙検出センサ７０〜７７が設けられている。用紙検出センサ７０〜７７は、たとえば光学センサから構成され、印刷用紙Ｐが用紙検出センサ７０〜７７の近傍を通過したか否かを検出する。用紙検出センサ７０〜７７によって検出された信号は、制御部６０に出力され、制御部６０は、用紙検出センサ７０〜７７によって検出された信号に基づいて、循環搬送路ＣＲ上において印刷用紙Ｐがジャムを発生している位置を特定する。  
【００２７】
具体的には、制御部６０は、図１に示すように排紙部４０の手前の循環搬送路ＣＲ上で印刷用紙Ｐ１のジャムが発生している場合には、用紙検出センサ７３によって印刷用紙Ｐが検出された後、予め設定された時間を経過しても用紙検出センサ７４によって印刷用紙Ｐが検出されない場合に、印刷用紙Ｐ１のジャムの位置が、循環搬送路ＣＲ上の用紙検出センサ７３と用紙検出センサ７４との間であると特定する。  
【００２８】
このように、制御部６０は、循環搬送路ＣＲ上において連続して並ぶ用紙検出センサ７４の検出信号に基づいて、印刷用紙Ｐのジャムの発生位置を特定する。  
【００２９】
また、制御部６０は、複数枚の印刷用紙Ｐに対して印刷処理を行う場合、用紙検出センサ７０〜７７の検出信号をカウントすることによって、何ページ目の印刷用紙Ｐが搬送されているかを判定する。すなわち、制御部６０は、用紙検出センサ７０〜７７の検出信号に基づいて、何ページ目の印刷用紙Ｐがどの位置まで搬送されているかを判定する。なお、本実施形態においては、用紙検出センサ７０〜７７が、本発明のジャム検出部に相当する。  
【００３０】
また、本実施形態の制御部６０は、印刷用紙Ｐのジャムが発生した場合、その後、印刷処理に復帰できるようにジャム処理を行う。具体的には、制御部６０は、ジャム処理として、ジャムの要因となっている印刷用紙Ｐなどを筐体１００内から取り出すようユーザに促すジャム表示を行う。  
【００３１】
さらに、本実施形態の制御部６０は、後述する印刷ジョブ出力装置２から出力されたジャム処理切り替え情報に基づいて、第１のジャム処理と第２のジャム処理とを切り替える。  
【００３２】
具体的には、印刷ジョブ出力装置２の制御部９０（図３参照）は、印刷ジョブ出力装置２において生成された印刷ジョブに含まれる全ての原稿データを１枚の印刷媒体に印刷可能であるか否かを判定する。そして、制御部９０は、印刷ジョブに含まれる全ての原稿データを１枚の印刷用紙Ｐに印刷可能である場合には、ジャム処理切り替え情報として、第１のジャム処理を行うよう指示する信号をインクジェット印刷装置１の制御部６０に出力する。  
【００３３】
一方、制御部９０は、印刷ジョブに含まれる全ての原稿データを１枚の印刷媒体に印刷不可能である場合には、ジャム処理切り替え情報として、第２のジャム処理を行うよう指示する信号をインクジェット印刷装置１の制御部６０に出力する。  
【００３４】
印刷ジョブに含まれる全ての原稿データを１枚の印刷用紙Ｐに印刷可能である場合とは、たとえば印刷ジョブに含まれる原稿データが１ページであって、片面印刷である場合には、１枚の印刷用紙Ｐの印刷可能である。一方、印刷ジョブに含まれる原稿データが複数ページであって、片面印刷である場合には、原稿データのページ分の印刷用紙Ｐが必要となるので、１枚の印刷用紙Ｐでは印刷不可能である。ただし、印刷ジョブに含まれる原稿データが複数ページである場合、片面印刷であり、かつ面付け印刷である場合には、原稿データのページ数が面付け数以内である場合、１枚の印刷用紙Ｐで印刷可能である。原稿データのページ数が面付け数を超える場合、１枚の印刷用紙Ｐで印刷不可能である。  
【００３５】
また、印刷ジョブに含まれる原稿データが２ページであって、両面印刷である場合には、１枚の印刷用紙Ｐに印刷可能である。一方、印刷ジョブに含まれる原稿データが３ページ以上であって、両面印刷である場合には、２枚の印刷用紙Ｐが必要となるので、１枚の印刷用紙Ｐでは印刷不可能である。ただし、両面印刷であり、かつ面付け印刷である場合には、原稿データのページ数が面付け数×２以内である場合、１枚の印刷用紙Ｐで印刷可能である。原稿データのページ数が面付け数×２を超える場合、１枚の印刷用紙Ｐで印刷不可能である。
【００３６】
このように、印刷ジョブ出力装置２の制御部９０は、印刷ジョブに含まれる原稿データのページ数と、両面印刷か片面印刷かの印刷条件と、面付け印刷の面付け条件とに基づいて、印刷ジョブに含まれる全ての原稿データが１枚の印刷用紙Ｐで印刷可能であるか否かを判定し、その判定結果に応じたジョブ処理切り替え情報を出力する。これらの条件に基づいて判定を行うことによって、全ての原稿データを１枚の印刷用紙Ｐに印刷可能か否かを適切かつ簡易に判定することができる。
【００３７】
なお、本実施形態においては、印刷ジョブ出力装置２の制御部９０が上記判定を行うようにしたが、これに限らず、インクジェット印刷装置１の制御部６０において上記判定を行うようにしてもよい。その場合、印刷ジョブ出力装置２の制御部９０からインクジェット印刷装置１の制御部６０に向けて印刷ジョブに含まれる原稿データのページ数と、両面印刷か片面印刷かの印刷条件と、面付け印刷の面付け条件とを出力し、インクジェット印刷装置１の制御部６０において、これらの条件に基づいて、上記判定を行うようにすればよい。もしくは、インクジェット印刷装置１の制御部６０が、印刷ジョブを受け付けた後、その印刷ジョブの内容を解析することによって、上記判定を行うようにしてもよい。  
【００３８】
そして、インクジェット印刷装置１の制御部６０は、入力されたジョブ処理切り替え情報に基づいて、第１のジャム処理と第２のジャム処理とを切り替えて行う。  
【００３９】
第１のジャム処理は、具体的には、複数枚の印刷用紙Ｐに対して全て同じ原稿データを印刷するような場合に行われる処理である。第１のジャム処理は、ジャムの検出時において循環搬送路ＣＲ上に存在する印刷用紙Ｐであって、既に印刷済の印刷用紙Ｐを循環搬送路ＣＲ上に残す処理である。印刷ジョブに含まれる全ての原稿データが１枚の印刷用紙Ｐに印刷可能である場合、すなわち複数枚の印刷用紙Ｐに対して全て同じ原稿データを印刷するような場合には、少なくともジャムの要因となっている印刷用紙Ｐを取り除くだけでよく、既に印刷済の印刷用紙Ｐをそのまま排紙したとしても、全ての印刷用紙Ｐに同じ原稿データが印刷されているので、ページ順がずれるような問題は生じない。  
【００４０】
したがって、第１のジャム処理は、既に印刷済の印刷用紙Ｐは循環搬送路ＣＲに残すようにする。具体的には、制御部６０は、第１のジャム処理の場合には、ジャムの要因となっている印刷用紙Ｐの位置を示す表示を表示部８０により行って、ユーザに対してその印刷用紙Ｐを取り除くように促すが、その他の循環搬送路ＣＲ上の印刷済の印刷用紙Ｐについては、何も表示せず、すなわちユーザが筐体１００内から取り出さないようにする。このように印刷済の印刷用紙Ｐを残すことによって、損紙を減らすことができる。  
【００４１】
たとえば図１に示すように印刷用紙Ｐ１がジャムを起こしている場合には、制御部６０は、図２に示すように印刷用紙Ｐ１の位置Ｅを表示部８０に表示させてジャム表示し、ユーザに対して印刷用紙Ｐ１を取り除くように促す。そして、印刷済の印刷用紙Ｐ２および印刷用紙Ｐ３については、循環搬送路ＣＲに残したままとするので、制御部６０は、表示部８０にジャム表示しない。なお、本実施形態においては、ジャムの要因となっている印刷用紙Ｐ１についてのみジャム表示を行うが、２次給紙部１４によって搬送途中の印刷用紙Ｐ４についてもジャム表示するようにしてもよい。また、図１には示していないが、印刷処理部３０によって印刷途中の印刷用紙Ｐについてもジャム表示を行うようにしてもよい。  
【００４２】
そして、ジャム表示された印刷用紙Ｐ１がユーザによって取り除かれた後、制御部６０は、その取り除かれた枚数だけ最後に追加して印刷を行う。これにより、ユーザが設定した印刷枚数分の印刷物を得ることができる。
【００４３】
一方、第２のジャム処理は、具体的には、複数枚の印刷用紙Ｐに対して異なるページの原稿データを印刷するような場合に行われる処理である。第２のジャム処理は、ジャムの検出時において循環搬送路ＣＲ上に存在する印刷用紙Ｐであって、少なくともジャムの要因となった印刷用紙Ｐおよびジャムの要因となった印刷用紙Ｐよりも後続の印刷済の印刷用紙Ｐを全て取り除くような処理である。
【００４４】
印刷ジョブに含まれる全ての原稿データが１枚の印刷用紙Ｐに印刷不可能である場合、すなわち複数枚の印刷用紙Ｐに対して異なるページの原稿データを印刷するような場合に、たとえばジャムの要因となっている印刷用紙Ｐだけを取り除いた場合、既に排紙部４０に排紙された印刷済の印刷用紙Ｐ上に、ジャム要因の印刷用紙Ｐよりも後続の印刷済の印刷用紙Ｐが排紙されることになり、ページ順が異なることになる。
【００４５】
具体的には、たとえば印刷ジョブに含まれる原稿データが１０ページであり、面付け無しで片面印刷を行う場合において、図１に示すジャム要因の印刷用紙Ｐ１が５ページ目である場合、印刷用紙Ｐ１だけを取り除いたのでは、排紙部４０に既に排紙されている１ページ〜４ページまでの印刷用紙Ｐ上に、６ページ目が印刷された印刷用紙Ｐ２と７ページ目が印刷された印刷用紙Ｐ３が排紙されることになり、５ページ目が抜けたページ順が異なる印刷物となってしまう。
【００４６】
したがって、第２のジャム処理は、ジャム要因の印刷用紙Ｐ１だけでなく、後続の印刷済の印刷用紙Ｐ２および印刷用紙Ｐ３についても取り除くようにする。具体的には、たとえば図１に示すように印刷用紙Ｐ１がジャムを起こしている場合には、制御部６０は、印刷用紙Ｐ１の位置だけなく、印刷用紙Ｐ１よりも後続の印刷済の印刷用紙Ｐ２および印刷用紙Ｐ３の位置についても表示部８０にジャム表示し、ユーザに対して印刷用紙Ｐ１、印刷用紙Ｐ２および印刷用紙Ｐ３を取り除くように促す。なお、２次給紙部１４によって搬送途中の印刷用紙Ｐ４についてもジャム表示するようにしてもよい。また、図１には示していないが、印刷処理部３０によって印刷途中の印刷用紙Ｐについてもジャム表示を行うようにしてもよい。
【００４７】
そして、制御部６０は、ユーザによって印刷用紙Ｐ１〜Ｐ３が取り除かれた後、再び、ジャム要因の印刷用紙Ｐ１に印刷予定だった５ページ目の原稿データから印刷を再開する。これにより、ユーザは、ページ順の合った印刷物を得ることができる。
【００４８】
表示部８０は、液晶ディスプレイを有するタッチパネルから構成されるものであり、上述したジャム表示をしたり、種々の設定入力画面を表示する。
【００４９】
図３は、本実施形態のインクジェット印刷装置１の制御系の概略構成を示すブロック図である。
【００５０】
制御部６０は、インクジェット印刷装置１全体を制御するものであり、ＣＰＵ（Central Processing Unit）、半導体メモリおよびハードディスクなどを備えている。制御部６０は、半導体メモリまたはハードディスクなどの記憶媒体に予め記憶されたプログラムを実行し、かつ電気回路を動作させることによって、インクジェット印刷装置１の各部の動作を制御するものである。
【００５１】
特に、本実施形態の制御部６０は、印刷ジョブ出力装置２の制御部９０と通信を行い、制御部９０から出力された印刷ジョブを受け付ける。また、制御部６０は、印刷ジョブを受け付けた際、上述したジョブ処理切り替え情報を受け付け、そのジョブ処理切り替え情報に応じて、上述した第１のジャム処理と第２のジャム処理とを切り替える。
【００５２】
印刷ジョブ出力装置２は、コンピュータから構成されるものである。印刷ジョブ出力装置２には、原稿データを作成する文書作成アプリケーションおよびその原稿データを含む印刷ジョブを生成するプリンタドライバがインストールされている。プリンタドライバにおいては、片面印刷か両面印刷かの印刷条件と面付け印刷の面付け条件の設定が可能である。印刷ジョブ出力装置２は、文書作成アプリケーションによって作成された原稿データと、プリンタドライバ上に設定された印刷条件および面付け条件に基づいて、印刷ジョブを生成し、インクジェット印刷装置１に出力する。
【００５３】
また、印刷ジョブ出力装置２は、上述したようにジャム処理切り替え情報をインクジェット印刷装置１に出力する。
【００５４】
なお、本実施形態においては、印刷ジョブ出力装置２が、本発明の印刷情報出力装置に相当し、インクジェット印刷装置１と印刷ジョブ出力装置２とから、本発明の印刷システムが構成される。
【００５５】
次に、印刷ジョブに含まれる原稿データのページ数と、両面印刷か片面印刷かの印刷条件と、面付け印刷の面付け条件とに基づいて、第１のジャム処理または第２のジャム処理のどちらを行うか判定する方法について、図４に示すフローチャートを参照しながら、より詳細に説明する。なお、この判定は、上述したように印刷ジョブ出力装置２の制御部９０またはインクジェット印刷装置１の制御部６０によって行われる。なお、ここでは印刷ジョブ出力装置２の制御部９０が判定を行うものとする。
【００５６】
制御部９０は、まず、印刷ジョブに含まれる原稿データが複数ページであるか否かを確認する（Ｓ１０）。制御部９０は、印刷ジョブに含まれる原稿データが１ページであり（Ｓ１０，ＮＯ）、その１ページの原稿データを複数部数印刷する場合には、第１のジャム処理を行う（Ｓ１８）。
【００５７】
一方、制御部９０は、印刷ジョブに含まれる原稿データが複数ページである場合には（Ｓ１０，ＹＥＳ）、片面印刷か両面印刷かを確認する（Ｓ１２）。そして、制御部９０は、片面印刷である場合には（Ｓ１２，片面印刷）、面付け印刷であるか否かを確認する（Ｓ１４）。次いで、制御部９０は、片面印刷かつ面付け印刷である場合には（Ｓ１４，ＹＥＳ）、原稿データのページ数が面付け数以下であるか否かを確認する（Ｓ１６）。
【００５８】
そして、制御部９０は、原稿データのページ数が面付け数以下であり（Ｓ１６，ＹＥｓ）、その複数の原稿データが面付けされた印刷物を複数部数印刷する場合には、第１のジャム処理を行う（Ｓ１８）。
【００５９】
一方、制御部９０は、Ｓ１４において、片面印刷であるが、面付け印刷ではないと確認した場合には（Ｓ１４，ＮＯ）、第２のジャム処理を行う（Ｓ２６）。また、制御部９０は、Ｓ１６において、原稿データのページ数が面付け数を超えている場合にも（Ｓ１６，ＮＯ）、第２のジャム処理を行う（Ｓ２６）。
【００６０】
また、制御部９０は、印刷ジョブに含まれる原稿データが複数ページであり（Ｓ１０，ＹＥＳ）、Ｓ１２において、両面印刷であることを確認した場合には（Ｓ１２，両面印刷）、原稿データのページ数が３ページ以上であるか否かを確認する（Ｓ２０）。そして、制御部９０は、原稿データのページ数が３ページ以上でない場合（Ｓ２０，ＮＯ）、すなわち原稿データのページ数が２ページであって、複数部数印刷する場合には、第１のジャム処理を行う（Ｓ１８）。
【００６１】
一方、制御部９０は、Ｓ２０において、原稿データのページ数が３ページ以上であることを確認した場合には（Ｓ２０，ＹＥＳ）、面付け印刷であるか否かを確認する（Ｓ２２）。そして、制御部９０は、原稿データのページ数が３ページ以上であって、かつ面付け印刷である場合には（Ｓ２２，ＹＥＳ）、原稿データのページ数が、面付け数×２以下であるか否かを確認する（Ｓ２４）。
【００６２】
そして、制御部９０は、原稿データのページ数が、面付け数×２以下であり（Ｓ２４，ＹＥＳ）、その複数の原稿データが面付けされた印刷物を複数部数印刷する場合には、第１のジャム処理を行う（Ｓ１８）。
【００６３】
一方、制御部９０は、Ｓ２２において、原稿データのページ数が３ページ以上であるが、面付け印刷ではないと確認した場合には（Ｓ２２，ＮＯ）、第２のジャム処理を行う（Ｓ２６）。また、制御部９０は、Ｓ２４において、原稿データのページ数が、面付け数×２を超えている場合にも（Ｓ２４，ＮＯ）、第２のジャム処理を行う（Ｓ２６）。以上が、第１のジャム処理または第２のジャム処理の判定方法の説明である。
【００６４】
上記実施形態のインクジェット印刷装置によれば、印刷情報に含まれる全ての原稿データを１枚の印刷媒体に印刷可能である場合には、上述した第１のジャム処理を行い、印刷情報に含まれる全ての原稿データが１枚の印刷媒体に印刷不可能である場合には、上述した第２のジャム処理を行うようにしたので、第１のジャム処理を行うことによって損紙を低減することができるとともに、第２のジャム処理を行うことによって正しいページ順の印刷物を得ることができる。
【００６５】
また、上記実施形態は、本発明の印刷装置をインクジェット印刷装置に適用した例であるが、これに限らず、たとえば感光体を有する、レーザ方式の印刷装置にも適用可能である。
【００６６】
本発明の印刷装置に関し、さらに以下の付記を開示する。
（付記）
【００６７】
本発明の印刷装置において、制御部は、印刷情報に含まれる全ての原稿データが１枚の印刷媒体に印刷不可能である場合には、ジャムの検出時において搬送経路上に存在する印刷媒体であって、少なくともジャムの要因となった印刷媒体およびジャムの要因となった印刷媒体よりも後続の印刷済の印刷媒体を取り除くようなジャム処理を行うことができる。
【００６８】
また、本発明の印刷装置において、制御部は、印刷情報に含まれる原稿データの枚数と、両面印刷か片面印刷かの印刷条件と、面付け印刷の面付け条件とに基づいて、印刷情報に含まれる全ての原稿データを１枚の印刷媒体に印刷可能であるか否かを判定し、該判定の結果に基づいて、ジャム処理を切り替えることができる。
【００６９】
本発明の印刷装置と、その印刷装置に対して、印刷情報を出力する印刷情報出力装置とを備えた印刷システムであって、印刷情報出力装置が、印刷情報に含まれる全ての原稿データを１枚の印刷媒体に印刷可能であるか否かを判定し、該判定の結果に基づいて、第１のジャム処理と第２のジャム処理とを切り替えるジャム処理切り替え情報を印刷装置に出力し、印刷装置が、ジャム処理切り替え情報に基づいて、第１のジャム処理と第２のジャム処理とを切り替える。
【００７０】
本発明の印刷装置に対して印刷情報を出力する印刷情報出力装置であって、印刷情報に含まれる全ての原稿データを１枚の印刷媒体に印刷可能であるか否かを判定し、該判定の結果に基づいて、第１のジャム処理と第２のジャム処理とを切り替えるジャム処理切り替え情報を印刷装置に出力する制御部を備える。
【符号の説明】
【００７１】
１  インクジェット印刷装置
２  印刷ジョブ出力装置
１０  サイド給紙部
１１  給紙台
１２  １次給紙部
１４  ２次給紙部
２０  内部給紙部
２１ａ  給紙台
２１ｂ  給紙台
２１ｃ  給紙台
２１ｄ  給紙台
２２ａ  １次給紙部
２２ｂ  １次給紙部
２２ｃ  １次給紙部
２２ｄ  １次給紙部
３０  印刷処理部
３１  ヘッドユニット
４０  排紙部
４５  排紙台
４８  排紙ローラ
４９  切り替え機構
５０  反転部
５１  反転台
５２  反転ローラ
５３  搬送ローラ
６０  制御部
８０  表示部
７０〜７７  用紙検出センサ
９０  制御部
１００  筐体
１３３  搬送ベルト
ＣＲ  循環搬送路
ＦＲ  給紙搬送路
Ｐ，Ｐ１〜Ｐ４  印刷用紙
【図１】
2020104269.tif 000003
【図２】
2020104269.tif 000004
【図３】
2020104269.tif 000005
【図４】
2020104269.tif 000006